(57)【要約】      （修正有）【課題】無線基地局と無線端末局が接続される通信セルが複数存在する無線通信システムにおいて、無線基地局と無線端末局との間の伝搬チャネル情報などを効率よく収集する方法を提供する。【解決手段】各通信セル５０−１〜３の各無線端末局２０−１１〜３３が送信する無線信号を受信可能な位置に配置され、集中制御局４０と無線回線を介して接続される１台以上の収集局３０を備える。無線基地局は、配下の無線端末局の端末情報を測定するための測定信号を送信する手段を含む。各無線端末局は、測定信号により端末情報を測定し、通知信号として帰属する無線基地局に送信する手段を含む。収集局は、通知信号を受信して収集し、各無線端末局の各端末情報を結合して形成される転送信号を集中制御局に送信する手段を含む。集中制御局は、収集局から送信された転送信号を解析し、各無線端末局の端末情報を収集する手段を含む。【選択図】図１
2019029755.tif 000002
【特許請求の範囲】
【請求項１】
無線基地局と１台以上の無線端末局が接続される通信セルが複数存在し、各通信セルの各無線端末局の状況把握に用いる端末情報を集中制御局が収集する無線通信システムにおいて、
前記各通信セルの各無線端末局が送信する無線信号を受信可能な位置に配置され、前記集中制御局と無線回線を介して接続される１台以上の収集局を備え、
前記無線基地局は、配下の無線端末局の前記端末情報を測定するための測定信号を送信する手段を含み、
前記各無線端末局は、前記測定信号により前記端末情報を測定し、通知信号として帰属する無線基地局に送信する手段を含み、
前記収集局は、前記通知信号を受信して収集し、前記各無線端末局の各端末情報を結合して形成される転送信号を前記集中制御局に送信する手段を含み、
前記集中制御局は、前記収集局から送信された前記転送信号を解析し、前記各無線端末局の端末情報を収集する手段を含む
ことを特徴とする無線通信システム。
【請求項２】
請求項１に記載の無線通信システムにおいて、
前記収集局は、前記各無線端末局の端末情報を結合し、さらに所定の圧縮処理を行って前記転送信号を形成する手段を含み、
前記集中制御局は、前記転送信号を解析し、さらに前記圧縮処理に対応する解凍処理を行って前記端末情報を復元する手段を含む
ことを特徴とする無線通信システム。
【請求項３】
請求項２に記載の無線通信システムにおいて、
前記所定の圧縮処理は、周波数または空間または時間の方向における前記端末情報の差分情報を生成する
ことを特徴とする無線通信システム。
【請求項４】
請求項２に記載の無線通信システムにおいて、
前記所定の圧縮処理は、周波数または空間の方向における前記端末情報で相関が高い情報を統合する、もしくは時間の方向における前記端末情報で相関が高い情報を削除する
ことを特徴とする無線通信システム。
【請求項５】
無線基地局と１台以上の無線端末局が接続される通信セルが複数存在し、各通信セルの各無線端末局の状況把握に用いる端末情報を集中制御局が収集する無線通信システムの端末情報収集方法において、
前記無線通信システムは、前記各通信セルの各無線端末局が送信する無線信号を受信可能な位置に配置され、前記集中制御局と無線回線を介して接続される１台以上の収集局を備え、
前記無線基地局は、配下の無線端末局の前記端末情報を測定するための測定信号を送信するステップを有し、
前記各無線端末局は、前記測定信号により前記端末情報を測定し、通知信号として帰属する無線基地局に送信するステップを有し、
前記収集局は、前記通知信号を受信して収集し、前記各無線端末局の各端末情報を結合して形成される転送信号を前記集中制御局に送信するステップを有し、
前記集中制御局は、前記収集局から送信された前記転送信号を解析し、前記各無線端末局の端末情報を収集するステップを有する
ことを特徴とする端末情報収集方法。
【請求項６】
請求項５に記載の端末情報収集方法において、
前記収集局は、前記各無線端末局の端末情報を結合し、さらに所定の圧縮処理を行って前記転送信号を形成するステップを有し、
前記集中制御局は、前記転送信号を解析し、さらに前記圧縮処理に対応する解凍処理を行って前記端末情報を復元するステップを有する
ことを特徴とする端末情報収集方法。
【請求項７】
請求項６に記載の端末情報収集方法において、
前記所定の圧縮処理は、周波数または空間または時間の方向における前記端末情報の差分情報を生成する
ことを特徴とする端末情報収集方法。
【請求項８】
請求項６に記載の端末情報収集方法において、
前記所定の圧縮処理は、周波数または空間の方向における前記端末情報で相関が高い情報を統合する、もしくは時間の方向における前記端末情報で相関が高い情報を削除する
ことを特徴とする端末情報収集方法。
【発明の詳細な説明】
【技術分野】
【０００１】
本発明は、無線基地局と１台以上の無線端末局が接続される通信セルが複数存在し、さらに各通信セルの無線基地局に接続される集中制御局があり、各通信セルの無線端末局の状況把握に用いる端末情報を集中制御局が収集する無線通信システムおよび端末情報収集方法に関する。ここで、端末情報の一例としては、無線基地局と無線端末局との間の伝搬チャネル情報などがある。
【背景技術】
【０００２】
無線信号の信号強度情報であるＲＳＳＩ（Received Signal Strength Indicator）を応用したサービスとして、無線ＬＡＮシステムにおける無線端末局の位置提供サービスがある。このサービスの実現方法の一例として、無線端末局が複数の無線基地局から送信されるビーコン信号からＲＳＳＩを測定し、それら複数のＲＳＳＩから無線端末局の位置を計算する方法がある（例えば、非特許文献１）。また、他の応用例として、ＲＳＳＩの変動特性から人の活動を検出するサービスの検討も行われている（例えば、非特許文献２）。
【０００３】
さらに、上記サービスのさらなる性能向上に向けて、ＲＳＳＩに加えて、伝搬チャネル情報（ＣＳＩ：Channel State Information ）を用いた検討も進められている。無線ＬＡＮシステムにおける伝搬チャネル情報とは、無線基地局アンテナと無線端末局アンテナとの間のパスにおけるサブキャリアごとの伝搬路応答（振幅情報やアンテナ間の位相差）である。例えば、非特許文献３では、伝搬チャネル情報を用いることで、位置推定や活動検出などにおける高精度化技術が検討されている。
【先行技術文献】
【非特許文献】
【０００４】
【非特許文献１】Navarro Eduardo, 2011.“Wi-Fi Localization Using RSSI Fingerprinting”, California Polytechnic State University, United States of America. http://digitalcommons.calpoly.edu/cpesp/17/ (17 Aug. 2011)
【非特許文献２】Wang, Wei, et al. "Understanding and modeling of wifi signal based human activity recognition." Proceedings of the 21st annual international conference on mobile computing and networking. ACM, 2015.
【非特許文献３】Yang, Zheng, Zimu Zhou, and Yunhao Liu. "From RSSI to CSI: Indoor localization via channel response." ACM Computing Surveys (CSUR) 46.2 (2013): 25.
【発明の概要】
【発明が解決しようとする課題】
【０００５】
背景技術の後半で説明した検討技術を実システムに適用し、安定的なサービスを提供するためには、高頻度にＲＳＳＩや伝搬チャネル情報を収集することが要求される。ＲＳＳＩを収集する場合には、ビーコン信号などの定常的に送信される信号を利用できることや、ＲＳＳＩは全サブキャリア共通の少量の電力情報であることから、高頻度にＲＳＳＩの収集を行ったとしても無線ＬＡＮシステムへの負荷は小さい。一方、伝搬チャネル情報を収集する場合には、伝搬チャネル情報を収集するための追加の信号、例えば無線基地局が送信する伝搬チャネル情報を測定するための測定信号や無線端末局が伝搬チャネル情報を測定して応答する通知信号などが必要となることや、単体の情報量が非常に大きくなることから、高頻度の収集は無線ＬＡＮシステムに負荷を与えることとなる。
【０００６】
図１２は、従来の無線通信システムの構成例を示す。
図１２において、無線基地局１０−ｉと１台以上の無線端末局２０−ｉｊがそれぞれ通信セル５０−ｉを構成する。ここでは、ｉは１〜３，ｊは１〜３の例を示す。無線基地局１０−ｉは、その配下の無線端末局２０−ｉｊとの間の伝搬チャネル情報を収集し、その収集情報を集中制御局４０に転送する。
【０００７】
図１３は、従来の端末情報収集動作例を示す。
図１３において、各無線基地局１０−ｉは、それぞれ配下の無線端末局２０−ｉｊに対して伝搬チャネル情報を測定するための測定信号Ｍを送信する。次に、無線端末局２０−ｉｊは、受信した測定信号Ｍから伝搬チャネル情報を測定し、通知信号Ｒによって測定結果をそれぞれ帰属する無線基地局１０−ｉに通知する。各無線基地局１０−ｉは伝搬チャネル情報の収集が完了すると、集中制御局４０に対して伝搬チャネル情報を格納した転送信号を時間をずらして送信し、集中制御局４０がすべての伝搬チャネル情報を取得する。
【０００８】
このような従来の伝搬チャネル情報の収集方法は、各無線基地局１０−ｉで配下の無線端末局２０−ｉｊの伝搬チャネル情報を個別に収集し、各無線基地局１０−ｉが収集した伝搬チャネル情報を集中制御局４０に対して時間をずらして転送することから、多くの転送時間が必要となる。
【０００９】
本発明は、無線基地局と１台以上の無線端末局が接続される通信セルが複数存在する無線通信システムにおいて、無線基地局と無線端末局との間の伝搬チャネル情報などの端末情報を効率よく収集することができる無線通信システムおよび端末情報収集方法を提供することを目的とする。
【課題を解決するための手段】
【００１０】
第１の発明は、無線基地局と１台以上の無線端末局が接続される通信セルが複数存在し、各通信セルの各無線端末局の状況把握に用いる端末情報を集中制御局が収集する無線通信システムにおいて、各通信セルの各無線端末局が送信する無線信号を受信可能な位置に配置され、集中制御局と無線回線を介して接続される１台以上の収集局を備え、無線基地局は、配下の無線端末局の端末情報を測定するための測定信号を送信する手段を含み、各無線端末局は、測定信号により端末情報を測定し、通知信号として帰属する無線基地局に送信する手段を含み、収集局は、通知信号を受信して収集し、各無線端末局の各端末情報を結合して形成される転送信号を集中制御局に送信する手段を含み、集中制御局は、収集局から送信された転送信号を解析し、各無線端末局の端末情報を収集する手段を含む。
【００１１】
第１の発明の無線通信システムにおいて、収集局は、各無線端末局の端末情報を結合し、さらに所定の圧縮処理を行って転送信号を形成する手段を含み、集中制御局は、転送信号を解析し、さらに圧縮処理に対応する解凍処理を行って端末情報を復元する手段を含む。ここで、所定の圧縮処理は、周波数または空間または時間の方向における端末情報の差分情報を生成してもよい。また、所定の圧縮処理は、周波数または空間の方向における端末情報で相関が高い情報を統合する、もしくは時間の方向における端末情報で相関が高い情報を削除してもよい。
【００１２】
第２の発明は、無線基地局と１台以上の無線端末局が接続される通信セルが複数存在し、各通信セルの各無線端末局の状況把握に用いる端末情報を集中制御局が収集する無線通信システムの端末情報収集方法において、無線通信システムは、各通信セルの各無線端末局が送信する無線信号を受信可能な位置に配置され、集中制御局と無線回線を介して接続される１台以上の収集局を備え、無線基地局は、配下の無線端末局の端末情報を測定するための測定信号を送信するステップを有し、各無線端末局は、測定信号により端末情報を測定し、通知信号として帰属する無線基地局に送信するステップを有し、収集局は、通知信号を受信して収集し、各無線端末局の各端末情報を結合して形成される転送信号を集中制御局に送信するステップを有し、集中制御局は、収集局から送信された転送信号を解析し、各無線端末局の端末情報を収集するステップを有する。
【００１３】
第２の発明の端末情報収集方法において、収集局は、各無線端末局の端末情報を結合し、さらに所定の圧縮処理を行って転送信号を形成するステップを有し、集中制御局は、転送信号を解析し、さらに圧縮処理に対応する解凍処理を行って端末情報を復元するステップを有する。ここで、所定の圧縮処理は、周波数または空間または時間の方向における端末情報の差分情報を生成してもよい。また、所定の圧縮処理は、周波数または空間の方向における端末情報で相関が高い情報を統合する、もしくは時間の方向における端末情報で相関が高い情報を削除してもよい。
【発明の効果】
【００１４】
本発明は、収集局において各無線端末局の端末情報を収集し、集中制御局に一括して転送することにより、収集効率を高めることができる。
【図面の簡単な説明】
【００１５】
【図１】本発明の無線通信システムの構成例を示す図である。
【図２】本発明の実施例１の端末情報収集動作例を示すタイムチャートである。
【図３】伝搬チャネル情報の結合例を示す図である。
【図４】実施例１における無線基地局１０の構成例を示す図である。
【図５】実施例１における無線端末局２０の構成例を示す図である。
【図６】実施例１における収集局３０の構成例を示す図である。
【図７】実施例１における集中制御局４０の構成例を示す図である。
【図８】実施例２における収集局３０の構成例を示す図である。
【図９】実施例２における集中制御局４０の構成例を示す図である。
【図１０】実施例３における収集局３０の構成例を示す図である。
【図１１】実施例３における無線基地局１０の構成例を示す図である。
【図１２】従来の無線通信システムの構成例を示す図である。
【図１３】従来の端末情報収集動作例を示すタイムチャートである。
【発明を実施するための形態】
【００１６】
図１は、本発明の無線通信システムの構成例を示す。
図１において、無線通信システムは、無線基地局１０−ｉと１台以上の無線端末局２０−ｉｊが接続される通信セル５０−ｉが複数存在する構成である。ここでは、ｉは１〜３、ｊは１〜３である例を示す。さらに、各通信セル５０−ｉの無線端末局２０−ｉｊが送信する無線信号を受信できる位置に１台以上の収集局３０が配置され、収集局３０と集中制御局４０が無線回線を介して接続される。なお、無線基地局１０−ｉと集中制御局４０も無線回線を介して接続されるが、ここでは省略している。
【００１７】
（実施例１）
図２は、本発明の実施例１の端末情報収集動作例を示す。ここでは、集中制御局４０が収集する端末情報として伝搬チャネル情報を例に説明する。
図２において、無線基地局１０−１が配下の無線端末局２０−１１，２０−１２に対して、伝搬チャネル情報を測定するための測定信号Ｍを送信し、無線端末局２０−１１，２０−１２は無線基地局１０−１の測定信号から無線基地局１０−１と自局との間の伝搬チャネル情報を測定する。
【００１８】
次に、無線端末局２０−１１，２０−１２は、無線基地局１０−１に対して測定した伝搬チャネル情報を通知信号Ｒによって所定の順番で通知する。同時に、収集局３０は、無線端末局２０−１１，２０−１２から無線基地局１０−１に対して所定の順番で送信された通知信号Ｒを受信し、各無線端末局における伝搬チャネル情報を収集する。
【００１９】
次に、無線基地局１０−２と配下の無線端末局２０−２１との間、無線基地局１０−３と配下の無線端末局２０−３１〜２０−３３との間においても、同様に測定信号Ｍの送信、伝搬チャネル情報の測定、通知信号Ｒの送信が行われ、同時に収集局３０でもそれぞれの通知信号Ｒを受信して各無線端末局における伝搬チャネル情報を収集する。なお、無線基地局１０−１〜１０−３がそれぞれ測定信号Ｍを送信するタイミングおよび周期は、事前に設定されるか、後述する実施例３の収集局３０から送信される制御信号を用いて制御してもよい。
【００２０】
次に、収集局３０は、収集した無線基地局１０−１〜１０−３と無線端末局２０−１１〜２０−３３との間の伝搬チャネル情報ＣＳＩを、サブキャリア＃１，＃２，＃３，…ごとにそれぞれ整理し、図３に示すような所定の形式のデータとして結合する。ここで、ＣＳＩ(a,b,#c)は、無線基地局１０−ａと無線端末局２０−ｂとの間のサブキャリア＃ｃの伝搬チャネル情報を示す。
【００２１】
さらに、収集局３０は、結合した伝搬チャネル情報から転送信号を構成して集中制御局４０に転送する。最後に、集中制御局４０は、収集局３０から転送された転送信号を受信し、転送信号から抽出した各無線端末局２０−ｉｊの伝搬チャネル情報を時系列に記憶する。
【００２２】
このように、収集局３０が各無線端末局２０−ｉｊの伝搬チャネル情報を収集し、さらに、集中制御局４０に一括して転送することにより伝搬チャネル情報を高効率に収集することができる。
【００２３】
図４は、実施例１における無線基地局１０の構成例を示す。ここでは、本発明に関係する主要な機能ブロックのみを抽出して示しており、一般的な無線基地局で用いられる機能ブロックおよびその説明は省略する。
【００２４】
図４において、無線基地局１０は、アンテナ１１、送信部１２、測定信号生成部１３から構成される。なお、複数のアンテナ１１を用いてＭＩＭＯ伝送に対応する構成であってもよい。測定信号生成部１３は、無線端末局２０が伝搬チャネル情報を測定するための測定信号を生成し、送信部１２に出力する。送信部１２は、測定信号生成部１３で生成された測定信号を配下の無線端末局宛の無線ＬＡＮ信号に変換し、アンテナ１１から無線信号として送信する。
【００２５】
図５は、実施例１における無線端末局２０の構成例を示す。ここでは、本発明に関係する主要な機能ブロックのみを抽出して示しており、一般的に無線端末局で用いられる機能ブロックおよびその説明は省略している。
【００２６】
図５において、無線端末局２０は、アンテナ２１、送信部２２、受信部２３、通知信号生成部２４、伝搬チャネル情報測定部２５から構成される。なお、複数のアンテナ２１を用いてＭＩＭＯ伝送に対応する構成であってもよい。受信部２３は、アンテナ２１で受信した無線信号を伝搬チャネル情報測定部２５で扱うことができる測定信号に変換し、伝搬チャネル情報測定部２５に出力する。伝搬チャネル情報測定部２５は、受信部２３から入力する測定信号から伝搬チャネル情報の測定を行い、その測定結果を通知信号生成部２４に出力する。通知信号生成部２４では、伝搬チャネル情報測定部２５から入力する伝搬チャネル情報を含む通知信号を生成し、送信部２２に出力する。送信部２２は、通知信号生成部２４から入力する通知信号を無線基地局１０および収集局３０宛の無線ＬＡＮ信号に変換し、アンテナ２１から無線信号として送信する。
【００２７】
図６は、実施例１における収集局３０の構成例を示す。
図６において、収集局３０は、アンテナ３１、送信部３２、受信部３３、収集部３４、結合部３５、転送信号生成部３６から構成される。なお、複数のアンテナ３１を用いてＭＩＭＯ伝送に対応する構成であってもよい。
【００２８】
受信部３３は、アンテナ３１で受信した無線信号を収集部３４で扱うことができる通知信号に変換し、収集部３４に出力する。収集部３４は、受信部３３から入力する各無線端末局の通知信号から伝搬チャネル情報を収集し、その収集結果を結合部３５に出力する。結合部３５は、図３に示すように収集部３４から入力する伝搬チャネル情報を結合し、転送信号生成部３６に出力する。転送信号生成部３６は、結合部３５から入力する伝搬チャネル情報を一括で転送するための転送信号を生成し、送信部３２に出力する。送信部３２は、転送信号生成部３６から入力する転送信号を集中制御局４０宛の無線ＬＡＮ信号に変換し、アンテナ３１から無線信号として送信する。
【００２９】
図７は、実施例１における集中制御局４０の構成例を示す。ここでは、本発明に関係する主要な機能ブロックのみを抽出して示しており、一般的に集中制御局で用いられる機能ブロックおよびその説明は省略している。
【００３０】
図７において、集中制御局４０は、アンテナ４１、受信部４２、転送信号解析部４３、記憶部４４から構成される。なお、複数のアンテナ４１を用いてＭＩＭＯ伝送に対応する構成であってもよい。受信部４２は、アンテナ４１で受信した無線信号を転送信号解析部４３で扱うことができる転送信号に変換し、転送信号解析部４３に出力する。転送信号解析部４３は、受信部４２から入力する収集局の転送信号から結合された伝搬チャネル情報を抽出し、その抽出結果を記憶部４４に出力する。記憶部４４は、転送信号解析部４３から入力される各無線端末局の伝搬チャネル情報を時系列に記憶する。
【００３１】
なお、ここでは収集局３０が１台の場合について説明したが、各通信セル５０−ｉの無線端末局２０−ｉｊが送信する通知信号（伝搬チャネル情報）を受信できる位置に分散して複数台備えてもよい。この場合には、各収集局３０が収集した伝搬チャネル情報をそれぞれ結合し、時間をずらして集中制御局４０に転送する。あるいは、複数台の収集局の中の１台の収集局３０が他の収集局３０が収集した伝搬チャネル情報を再収集し、まとめて集中制御局４０に転送してもよい。また、収集局３０と離れた無線端末局２０−ｉｊが存在し、収集局３０で収集できない伝搬チャネル情報については、従来と同様に無線端末局２０−ｉｊが帰属する無線基地局１０−ｉを介して集中制御局４０に転送してもよい。
【００３２】
（実施例２）
実施例２の特徴は、図１に示す無線通信システムにおいて、収集局３０から集中制御局４０への転送信号を圧縮することによって高効率化を図るところにある。
【００３３】
図８は、実施例２における収集局３０の構成例を示す。
図８において、収集局３０は、アンテナ３１、送信部３２、受信部３３、収集部３４、結合部３５、転送信号生成部３６、圧縮部３７から構成される。ここでは、実施例１の収集局３０と同一構成のものは同一符号を付し、説明を省略する。
【００３４】
圧縮部３７は、結合部３５から入力する伝搬チャネル情報を圧縮し、転送信号生成部３６に出力する。転送信号生成部３６は、圧縮部３７で圧縮された情報を一括で転送するための転送信号を生成し、送信部３２に出力する。
【００３５】
なお、圧縮方法としては、以下の方法を選択もしくは組み合わせて用いられる。
(1) ファイル圧縮：伝搬チャネル情報をビット情報に変換し、ＺＩＰ形式などの一般的なファイル圧縮の方法によって、伝搬チャネル情報の転送量を削減する。
(2) 周波数圧縮：図３に示す伝搬チャネル情報をサブキャリアの方向（横方向）に参照し、相関が高い情報を統合する、もしくは差分情報とすることにより伝搬チャネル情報の転送量を削減する。
(3) 空間圧縮：図３に示す伝搬チャネル情報を無線端末局の方向（縦方向）に参照し、相関が高い情報を統合する、もしくは差分情報とすることにより伝搬チャネル情報の転送量を削減する。
【００３６】
(4) 時間圧縮：前回収集した伝搬チャネル情報と最新伝搬チャネル情報を参照し、それぞれの差分情報を転送する、もしくは相関が高い情報は削減することで伝搬チャネル情報の転送量を削減する。
(5) ビット数制限による圧縮：伝搬チャネル情報をビット情報に変換する際に、変換するビット数を調整することで、伝搬チャネル情報の転送量を削減する。
【００３７】
図９は、実施例２における集中制御局４０の構成例を示す。
図９において、集中制御局４０は、アンテナ４１、受信部４２、転送信号解析部４３、記憶部４４、解凍部４５から構成される。ここでは、実施例１の集中制御局４０と同一構成のものは同一符号を付し、説明を省略する。
【００３８】
転送信号解析部４３は、受信部４２から入力する収集局３０の転送信号から圧縮された伝搬チャネル情報を抽出し、その抽出結果を解凍部４５に出力する。解凍部４５は、転送信号解析部４３から入力される情報を、収集局３０内の圧縮方法に対応して解凍を行い、復元した伝搬チャネル情報を記憶部４４に出力する。記憶部４４は、転送信号解析部４３から入力される復元した伝搬チャネル情報を時系列に記憶する。
【００３９】
（実施例３）
実施例３の特徴は、収集局３０から無線基地局１０−ｉに対して、伝搬チャネル情報の測定間隔を制御する、例えば無線基地局１０−ｉごとに伝搬チャネル情報の測定の必要性に応じた測定間隔で測定信号を送信するように制御することにより、無用な測定信号および通知信号の送受信を回避して高効率化を図るところにある。
【００４０】
図１０は、実施例３における収集局３０の構成例を示す。
図１０において、収集局３０は、アンテナ３１、送信部３２、受信部３３、収集部３４、結合部３５、転送信号生成部３６、圧縮部３７、制御信号生成部３８から構成される。ここでは、実施例１および実施例２の収集局と同一構成のものは同一符号を付し、説明を省略する。
【００４１】
制御信号生成部３８は、各無線基地局１０−ｉの伝搬チャネル情報を測定するための測定信号の送信周期を制御するための制御信号を生成し、送信部３２に出力する。送信部３２は、制御信号生成部３８から入力する制御信号を無線ＬＡＮ信号に変換し、アンテナ３１から送信する。
【００４２】
図１１は、実施例３における無線基地局１０の構成例を示す。
図１１において、無線基地局１０は、アンテナ１１、送信部１２、測定信号生成部１３、受信部１４、制御信号解析部１５から構成される。ここでは、実施例１の無線基地局と同一構成のものは同一符号を付し、説明を省略する。
【００４３】
受信部１４は、アンテナ１１に受信した信号を制御信号解析部１５で扱うことができる制御信号に変換し、制御信号解析部１５に出力する。制御信号解析部１５は、収集局３０から送信される制御信号から伝搬チャネル情報の測定周期を抽出し、測定信号生成部１３に設定する。測定信号生成部１３では、制御信号解析部１５から設定された測定周期に基づき、無線端末局２０が伝搬チャネル情報を測定するための測定信号を生成し、送信部１２に出力する。
【符号の説明】
【００４４】
１０  無線基地局
１１  アンテナ
１２  送信部
１３  測定信号生成部
１４  受信部
１５  制御信号解析部
２０  無線端末局
２１  アンテナ
２２  送信部
２３  受信部
２４  通知信号生成部
２５  伝搬チャネル情報測定部
３０  収集局
３１  アンテナ
３２  送信部
３３  受信部
３４  収集部
３５  結合部
３６  転送信号生成部
３７  圧縮部
３８  制御信号生成部
４０  集中制御局
４１  アンテナ
４２  受信部
４３  転送信号解析部
４４  記憶部
４５  解凍部
５０  通信セル
【図１】
2019029755.tif 000003
【図２】
2019029755.tif 000004
【図３】
2019029755.tif 000005
【図４】
2019029755.tif 000006
【図５】
2019029755.tif 000007
【図６】
2019029755.tif 000008
【図７】
2019029755.tif 000009
【図８】
2019029755.tif 000010
【図９】
2019029755.tif 000011
【図１０】
2019029755.tif 000012
【図１１】
2019029755.tif 000013
【図１２】
2019029755.tif 000014
【図１３】
2019029755.tif 000015